(57)【特許請求の範囲】
【請求項１】
動物の背部及び腹部を含む胴回りに沿って着脱自在に装着され、前記動物の胴回りに対向する胴回り対向面及び該胴回り対向面の反対側に位置する胴回り非対向面を有する補助体部と、
前記動物の背部、股下部及び腹部に沿って配置され、前記動物の背部側に位置する背部側端部及び前記動物の腹部側に位置する腹部側端部のうちの少なくとも一方の端部が前記補助体部の前記胴回り非対向面に対して着脱自在に係合固定される吸収本体部と、
を備えた動物用吸収性物品であって、
前記吸収本体部は、展開した状態の平面視にて、長手方向及び幅方向を有する縦長の形状を有するとともに、前記動物用吸収性物品を前記動物に装着するときに前記動物に対向する面となる第１面と、該第１面の反対側の面となる第２面とを有し、
さらに、前記吸収本体部は、展開した状態の平面視にて、
前記吸収本体部の前記長手方向の両端に位置する前記背部側端部及び前記腹部側端部のうちの少なくとも一方の端部の前記第１面に配置された係合部と、
前記吸収本体部の前記幅方向に延びる中央軸線を前記長手方向に跨いで延在するとともに前記長手方向に延びる中央軸線を前記幅方向に跨いで延在するように配置された吸収体と、
前記吸収体及び前記背部側端部の間に形成された尻尾用開口部と、
前記吸収本体部に前記長手方向の収縮力を付与する弾性部材と、を備えていて、
前記弾性部材は、前記吸収体に対して前記幅方向の両外方側に配置され且つ少なくとも前記吸収体の長手方向長さよりも長い長手方向長さを有し、かつ
前記補助体部の胴回り非対向面は不織布であり、前記補助体部は、前記吸収本体部の前記係合部が係合する領域において、胴回り方向に伸縮性を有するように構成されている、
前記動物用吸収性物品。
【請求項２】
動物の背部及び腹部を含む胴回りに沿って着脱自在に装着され、前記動物の胴回りに対向する胴回り対向面及び該胴回り対向面の反対側に位置する胴回り非対向面を有する補助体部と、
前記動物の背部、股下部及び腹部に沿って配置され、前記動物の背部側に位置する背部側端部及び前記動物の腹部側に位置する腹部側端部のうちの少なくとも一方の端部が前記補助体部の前記胴回り非対向面に対して着脱自在に係合固定される吸収本体部と、
を備えた動物用吸収性物品であって、
前記吸収本体部は、展開した状態の平面視にて、長手方向及び幅方向を有する縦長の形状を有するとともに、前記動物用吸収性物品を前記動物に装着するときに前記動物に対向する面となる第１面と、該第１面の反対側の面となる第２面とを有し、
さらに、前記吸収本体部は、展開した状態の平面視にて、
前記吸収本体部の前記長手方向の両端に位置する前記背部側端部及び前記腹部側端部のうちの少なくとも一方の端部の前記第１面に配置された係合部と、
前記吸収本体部の前記幅方向に延びる中央軸線を前記長手方向に跨いで延在するとともに前記長手方向に延びる中央軸線を前記幅方向に跨いで延在するように配置された吸収体と、
前記吸収体及び前記背部側端部の間に形成された尻尾用開口部と、
前記吸収本体部に前記長手方向の収縮力を付与する弾性部材と、を備えていて、
前記弾性部材は、前記吸収体に対して前記幅方向の両外方側に配置され且つ少なくとも前記吸収体の長手方向長さよりも長い長手方向長さを有し、かつ
前記吸収本体部の前記第２面において前記係合部と厚さ方向に対応する位置に、非伸縮性シートが配置されている、
前記動物用吸収性物品。
【請求項３】
前記吸収本体部の前記係合部は、少なくとも部分的に非伸縮性部分を有する、請求項１又は２に記載の動物用吸収性物品。
【請求項４】
前記補助体部は、前記動物の胴回り方向に対応する第１方向と、該第１方向と直交する第２方向とを有するとともに、前記動物の胴回りに対向する前記胴回り対向面と、該胴回り対向面の反対側に位置する前記胴回り非対向面とを有する、一枚のシート状部材によって構成されており、
前記シート状部材は、前記第１方向の両端部のうちの一方の端部の前記胴回り対向面に、前記補助体部の前記胴回り非対向面と係合可能な補助体部用係合部を有している、請求項１〜３のいずれか一項に記載の動物用吸収性物品。
【請求項５】
前記吸収本体部は、前記長手方向及び前記幅方向のそれぞれに直交する厚さ方向を有するとともに、前記厚さ方向において、前記第１面側に位置する液透過性の表面シートと、前記第２面側に位置する液不透過性の裏面シートと、これら両シートの間に配置された前記吸収体と、前記表面シートの前記第１面側に位置する一対のサイドシートと、を少なくとも含む積層体によって構成されていて、
前記積層体は、前記吸収本体部を展開した状態の平面視にて、前記幅方向において積層数の異なる境界部分を有し、
前記吸収本体部の前記係合部は、少なくとも前記境界部分を跨いで前記幅方向に延在するように配置されている、請求項１〜４のいずれか一項に記載の動物用吸収性物品。
【請求項６】
前記吸収本体部の前記係合部は、前記吸収本体部の前記長手方向の両端に位置する前記背部側端部及び前記腹部側端部のうちの少なくとも一方の端部の前記第１面において、前記吸収本体部の前記長手方向における端縁を含む領域に配置されている、請求項１〜５のいずれか一項に記載の動物用吸収性物品。
【請求項７】
前記吸収本体部の前記係合部は、前記第１面から突出する複数の係合突起部を有し、前記複数の係合突起部のそれぞれは、前記吸収本体部の前記第１面から延びる軸部と、該軸部の先端において前記軸部の外周面が拡径する方向に延びる拡径部と、を有する、請求項１〜６のいずれか一項に記載の動物用吸収性物品。
【発明の詳細な説明】
【技術分野】
【０００１】
本発明は、犬や猫などの動物に用いられる、使い捨ておむつ等の動物用吸収性物品に関する。
【背景技術】
【０００２】
犬などのペットが排泄した排泄物を処理するための動物用吸収性物品として、ペットの胴回りに巻きつけて装着される、吸収体を備えた帯状の使い捨ておむつが知られている。
【０００３】
そのような動物用吸収性物品として、例えば、特許文献１には、予めペットの胴部に巻いておく伸縮素材のベルトと、両脇を山形に高くした構造の吸収体を備えたオムツ本体とからなる二部式の寝たきりペット用紙オムツにおいて、オムツ本体前部にミシン目を設けるとともに、オムツ本体後部にスリットで分割された伸縮素材を用いた、寝たきりペット用紙オムツが提案されている。この特許文献１に開示されたペット用紙オムツは、オムツ本体の前部と後部に分割可能及び分割された伸縮素材を用いることにより、横臥による体形の左右バランスの変化にもフィットすることができ、さらに、両脇を山形にした構造の吸収体により尿や糞の横漏れを防止することができるとされている。
【先行技術文献】
【特許文献】
【０００４】
【特許文献１】特開２００６−１２２０３９号公報
【発明の概要】
【発明が解決しようとする課題】
【０００５】
しかしながら、この特許文献１に開示された紙オムツは、ペットの胴部に巻きつける伸縮素材のベルトとオムツ本体とが、ベルトの外側及びオムツ本体の内側のそれぞれに設けられた接着テープによって、互いに接合されるものであるため、紙オムツをペットに装着した後にペットが動いたりすると、ベルトの伸縮素材による胴回り方向の伸縮と、オムツ本体の伸縮素材によるペットの前後方向の伸縮とによって、ベルトとオムツ本体との接合部分に、ペットの胴回り方向の力と該胴回り方向と交差する方向（すなわち、ペットの前後方向）の力とがせん断力として作用するため、前記接合部分における接合状態が維持できなくなり、オムツ本体がベルトから外れてしまう虞があった。
また、吸収体の両脇を山形にしただけでは、ペットが動いたりしたときに、特に動きの大きい足回りの一部分である股下部においては、ペットの体表面とオムツ本体との間に隙間が生じやすく、また、オムツ本体部（特に、幅方向の端縁）が前記股下部の動きに合わせて追従変形しにくいため、ペットの体表面とオムツ本体との間の隙間から尿などの排泄物が漏出する虞があった。
【０００６】
そこで、本発明は、動物の体から外れにくく、動物の股下部に的確にフィットすることで、排泄物の漏出を防止することのできる動物用吸収性物品を提供することを目的とする。
【課題を解決するための手段】
【０００７】
本発明の一態様（態様１）は、動物の背部及び腹部を含む胴回りに沿って着脱自在に装着され、動物の胴回りに対向する胴回り対向面及び該胴回り対向面の反対側に位置する胴回り非対向面を有する補助体部と、動物の背部、股下部及び腹部に沿って配置され、前記動物の背部側に位置する背部側端部及び前記動物の腹部側に位置する腹部側端部のうちの少なくとも一方の端部が前記補助体部の前記胴回り非対向面に対して着脱自在に係合固定される吸収本体部と、を備えた動物用吸収性物品であって、前記吸収本体部は、展開した状態の平面視にて、長手方向及び幅方向を有する縦長の形状を有するとともに、前記動物用吸収性物品を前記動物に装着するときに前記動物に対向する面となる第１面と、該第１面の反対側の面となる第２面とを有し、さらに、前記吸収本体部は、展開した状態の平面視にて、前記吸収本体部の前記長手方向の両端に位置する前記背部側端部及び前記腹部側端部のうちの少なくとも一方の端部の前記第１面に配置された係合部と、前記吸収本体部の前記幅方向に延びる中央軸線を前記長手方向に跨いで延在するとともに前記長手方向に延びる中央軸線を前記幅方向に跨いで延在するように配置された吸収体と、前記吸収体及び前記背部側端部の間に形成された尻尾用開口部と、前記吸収本体部に前記長手方向の収縮力を付与する弾性部材と、を備えていて、前記弾性部材は、前記吸収体に対して前記幅方向の両外方側に配置され且つ少なくとも前記吸収体の長手方向長さよりも長い長手方向長さを有する、前記動物用吸収性物品である。
【０００８】
この態様１の動物用吸収性物品は、吸収本体部が、前記吸収本体部の前記長手方向の両端に位置する背部側端部及び腹部側端部のうちの少なくとも一方の端部の前記第１面に配置された係合部と、吸収体及び前記背部側端部の間に形成された尻尾用開口部と、前記吸収体に対して前記幅方向の両外方側に配置され且つ少なくとも前記吸収体の長手方向長さよりも長い長手方向長さを有し、前記吸収本体部に前記長手方向の収縮力を付与する弾性部材と、を備えているため、動物の尻尾を上記尻尾用開口部に挿通させて動物用吸収性物品を動物の体に装着したときに、前記吸収本体部の、背部側端部と尻尾用開口部との間、及び腹部側端部と尻尾用開口部との間のそれぞれに掛かる上述の弾性部材の収縮力によって、吸収本体部の係合部が、前記動物の体表面に沿いつつ上述の動物の尻尾によって位置が固定された尻尾用開口部に向かって引っ張られるため、前記吸収本体部の係合部と前記補助体部の胴回り非対向面とが係合した部分に、動物の胴回り方向と交差する方向の力（剪断力）が作用して、上述の吸収本体部の係合部と補助体部の胴回り非対向面との係合がより強固になり、吸収本体部が補助体部から外れにくくなっている。
また、この態様１の動物用吸収性物品は、動物の体に装着したときに、前記吸収本体部の腹部側端部及び尻尾用開口部の間に掛かる上述の弾性部材の収縮力によって、前記吸収本体部における動物の股下部に対向する部分（以下、「股下部対向部分」ということがある。）が前記腹部側端部及び前記尻尾用開口部のそれぞれに向かって相対的に引っ張られるため、当該股下部対向部分が動物の股下部に接触しやすくなっている（すなわち、動物の体表面と吸収本体部の表面との間に隙間が形成されにくくなっている。）。さらに、吸収本体部において、吸収体の幅方向における両外方側の領域は、動物の足回りに対応する領域となるため、このような領域に上述の弾性部材が配置されていると、当該領域が動物の足回りの動きに追従して弾性変形しやすく、動物が歩行等の動作をしたとしても、当該領域をより的確に且つ持続的に動物の股下部にフィットさせることができる。
以上より、この態様１の動物用吸収性物品は、動物の体から外れにくく、動物の股下部に的確にフィットすることで、動物の排泄物の漏出を防ぐことができる。
【０００９】
また、本発明の別の態様（態様２）では、前記態様１の動物用吸収性物品において、前記吸収本体部の前記係合部が、少なくとも部分的に非伸縮性部分を有している。
【００１０】
この態様２の動物用吸収性物品は、前記吸収本体部の係合部が少なくとも部分的に非伸縮性部分を有しているため、前記係合部の構造が変化しにくく、当該係合部と前記補助体部の胴回り非対向面との係合がより外れにくくなっている。
【００１１】
更に本発明の別の態様（態様３）では、前記態様１又は２の動物用吸収性物品において、前記補助体部が、動物の胴回り方向に伸縮性を有している。
【００１２】
この態様３の動物用吸収性物品は、前記補助体部が動物の胴回り方向に伸縮性を有しているため、特に、動物が動いたときに、吸収本体部の係合部と補助体部の胴回り非対向面とが係合した部分に、動物の胴回り方向と交差する方向の力（剪断力）がより強く作用して、上述の吸収本体部の係合部と補助体部の胴回り非対向面との係合が更に強固となる。これにより、吸収本体部が補助体部から更に外れにくくなっている。
また、補助体部が動物の胴回り方向に伸縮性を有していると、補助体部を動物の胴回りに対してより的確にフィットさせることができるため、当該補助体部、ひいては動物用吸収性物品の、動物の体に対する位置ずれやずれ落ち等を防ぐことができる。
以上より、この態様３の動物用吸収性物品は、動物の排泄物の漏出を更に安定して防ぐことができる。
【００１３】
更に本発明の別の態様（態様４）は、前記態様１〜３のいずれかの動物用吸収性物品において、補助体部は、動物の胴回り方向に対応する第１方向と、該第１方向と直交する第２方向とを有するとともに、動物の胴回りに対向する前記胴回り対向面と、該胴回り対向面の反対側に位置する前記胴回り非対向面とを有する、一枚のシート状部材によって構成されており、当該シート状部材が、前記第１方向の両端部のうちの一方の端部の前記胴回り対向面に、補助体部の前記胴回り非対向面と係合可能な補助体部用係合部を有している。
【００１４】
この態様４の動物用吸収性物品は、補助体部を構成するシート状部材が、動物の胴回り方向に対応する第１方向の両端部のうちの一方の端部の前記胴回り対向面に、補助体部の前記胴回り非対向面と係合可能な補助体部用係合部を有しているため、補助体部を動物の胴回りのサイズに合わせて的確に装着することができ、補助体部、ひいては動物用吸収性物品の、動物の体に対する位置ずれやずれ落ち等を効果的に防ぐことができる。これにより、この態様４の動物用吸収性物品は、動物の排泄物の漏出を更に安定して防ぐことができる。
【００１５】
更に本発明の別の態様（態様５）では、前記態様１〜４のいずれかの動物用吸収性物品において、吸収本体部は、長手方向及び幅方向のそれぞれに直交する厚さ方向を有するとともに、厚さ方向において、前記第１面側に位置する液透過性の表面シートと、前記第２面側に位置する液不透過性の裏面シートと、これら両シートの間に配置された前記吸収体と、前記表面シートの第１面側に位置する一対のサイドシートと、を少なくとも含む積層体によって構成されていて、当該積層体が、吸収本体部を展開した状態の平面視にて、幅方向において積層数の異なる境界部分を有し、さらに、吸収本体部の係合部が、少なくとも前記境界部分を跨いで幅方向に延在するように配置されている。
【００１６】
吸収本体部を構成する積層体の積層数の異なる境界部分は、剛性の変化点となる部分であるため、当該境界部分を起点として吸収本体部の変形や破れが生じやすくなるが、このような境界部分を跨ぐように上述の係合部が配置されていると、当該係合部を補助体部の胴回り非対向面に係合固定したときに、上述の変形や破れの生じやすい部分も補助体部に係合固定されるため、前記境界部分を起点とした吸収本体部の変形や破れが生じにくくなる。これにより、この態様５の動物用吸収性物品は、動物の排泄物の漏出を更に安定的且つ確実に防ぐことができる。
【００１７】
更に本発明の別の態様（態様６）では、前記態様１〜５のいずれかの動物用吸収性物品において、吸収本体部の係合部は、前記吸収本体部の長手方向の両端に位置する背部側端部及び腹部側端部のうちの少なくとも一方の端部の第１面において、前記吸収本体部の長手方向における端縁を含む領域に配置されている。
【００１８】
この態様６の動物用吸収性物品は、吸収本体部の係合部が、前記吸収本体部の長手方向の両端に位置する背部側端部及び腹部側端部のうちの少なくとも一方の端部の第１面において、前記吸収本体部の長手方向における端縁を含む領域に配置されているため、吸収本体部の係合部を補助体部の胴回り非対向面に係合固定したときに、吸収本体部の長手方向における端縁まで係合固定することができ、吸収本体部の長手方向の端縁が捲れたり、当該端縁が動物の爪や外部の構造物に引っ掛かったりして、吸収本体部の係合部と補助体部の胴回り非対向面との係合が外れるというようなことが起こりにくくなっている。
これにより、この態様６の動物用吸収性物品は、吸収本体部をより着実に動物に装着することができ、結果的に、動物の排泄物の漏出を更に安定的且つ確実に防ぐことができる。
【００１９】
更に本発明の別の態様（態様７）では、前記態様１〜６のいずれかの動物用吸収性物品において、前記吸収本体部の係合部は、第１面から突出する複数の係合突起部を有し、前記複数の係合突起部のそれぞれは、吸収本体部の第１面から延びる軸部と、該軸部の先端において前記軸部の外周面が拡径する方向に延びる拡径部と、を有している。
【００２０】
この態様７の動物用吸収性物品は、吸収本体部の係合部における複数の係合突起部のそれぞれが、前記吸収本体部の第１面から延びる軸部と、該軸部の先端において前記軸部の外周面が拡径する方向に延びる拡径部と、を有しているため、前記吸収本体部の係合部を補助体部の胴回り非対向面に係合固定したときに、前記吸収本体部の係合部が動物の動き等によって様々な方向に引っ張られたとしても、当該係合部が、補助体部の胴回り非対向面上のあらゆる方向の力に対して対応でき、前記補助体部の胴回り非対向面と係合可能であるため、上述の吸収本体部の係合部と補助体部の胴回り非対向面との係合を強固な状態で維持することができる。これにより、吸収本体部が補助体部から更に外れにくくなっている。
また、吸収本体部の係合部が上記特定の係合突起部によって構成されていると、当該係合突起部は不織布等の任意の繊維構造体と係合することができるため、前記係合部が係合する補助体部の胴回り非対向面において、係合突起部と係合可能なループ構造体を設ける必要がなく、吸収本体部を補助体部に係合固定する位置を任意に調節可能に構成することができる。これにより、この態様７の動物用吸収性物品は、吸収本体部の股下部対向部分がより的確に動物の股下部にフィットするように装着することができる。
以上より、この態様７の動物用吸収性物品は、動物の排泄物の漏出を、より安定的且つ確実に防ぐことができる。
【発明の効果】
【００２１】
本発明によれば、動物の体から外れにくく、動物の股下部に的確にフィットすることで、排泄物の漏出を防止することのできる動物用吸収性物品を提供することができる。
【図面の簡単な説明】
【００２２】
【図１】図１は、本発明の一実施形態に係るペット用使い捨ておむつ１の斜視図である。
【図２】図２は、ペット用使い捨ておむつ１を展開した状態の平面図である。
【図３】図３は、ペット用使い捨ておむつ１における図２のIII−III線に沿った断面図である。
【図４】図４（ａ）は、ペット用使い捨ておむつ１の係合部３８における図２の領域ＩＶの要部拡大平面図であり、図４（ｂ）は、図４（ａ）のＩＶｂ−ＩＶｂ線に沿った断面図である。
【図５】図５は、ペット用使い捨ておむつ１を犬に装着した状態を示す模式図である。
【発明を実施するための形態】
【００２３】
以下、本発明の動物用吸収性物品の好適な実施形態であるペット用使い捨ておむつ１について、図面を参照しながら詳細に説明する。なお、本明細書においては、特に断りのない限り、「展開した状態で水平面上に置いた対象物（例えば、吸収性物品、補助体部、吸収本体部等）を、垂直方向の上方側から（対象物が吸収本体部の場合は表面シート側から）対象物の厚さ方向に見ること」を、単に「平面視」という。
【００２４】
また、本明細書において用いられる各種方向等については、特に断りのない限り、以下のとおりである。
本明細書において、「幅方向ＤＷ」は、「平面視における縦長の対象物（例えば、吸収本体部、吸収体等）の長さの短い方向（短手方向）」を指し、「長手方向ＤＬ」は、「平面視における縦長の対象物の長さの長い方向」を指し、「厚さ方向ＤＴ」は、「展開した状態で水平面上に置いた対象物の垂直方向」を指し、これらの幅方向ＤＷ、長手方向ＤＬ及び厚さ方向ＤＴは、それぞれ互いに直交する関係にある。
さらに、本明細書では、「縦長の対象物（例えば、吸収本体部、吸収体等）の幅方向ＤＷにおいて、長手方向ＤＬに延びる中央軸線ＣＬに相対的に近位側」を「幅方向の内方側」といい、「縦長の対象物の幅方向ＤＷにおいて、長手方向ＤＬに延びる中央軸線ＣＬから相対的に遠位側」を「幅方向の外方側」という。同様に、「縦長の対象物の長手方向ＤＬにおいて、幅方向ＤＷに延びる中央軸線ＣＷに相対的に近位側」を「長手方向の内方側」といい、「縦長の対象物の長手方向ＤＬにおいて、幅方向ＤＷに延びる中央軸線ＣＷから相対的に遠位側」を「長手方向の外方側」という。
【００２５】
図１は、本発明の一実施形態に係るペット用使い捨ておむつ１（動物用吸収性物品）の斜視図であり、図２は、前記ペット用使い捨ておむつ１を展開した状態の平面図であり、図３は、前記ペット用使い捨ておむつ１における図２のIII−III線に沿った断面図である。そして、図５は、前記ペット用使い捨ておむつ１を雌犬に装着した状態を示す模式図である。
【００２６】
図１、図２及び図５に示すように、本実施形態に係るペット用使い捨ておむつ１は、装着対象となる犬などのペット（本実施形態の場合は雌犬である。）の背部及び腹部を含む胴回りに沿って着脱自在に装着され、ペットの胴回りに対向する胴回り対向面２ａ及び該胴回り対向面２ａの反対側に位置する胴回り非対向面２ｂを有する補助体部２と、ペットの背部、股下部及び腹部に沿って配置され、ペットの背部側に位置する背部側端部３Ｅ１及びペットの腹部側に位置する腹部側端部３Ｅ２の両方の端部が、前記補助体部２の胴回り非対向面２ｂに対してそれぞれ着脱自在に係合固定される吸収本体部３と、を備えた２ピース型の構造を有している。
【００２７】
ペット用使い捨ておむつ１において、補助体部２は、ペットの背部及び腹部を含む胴回りに沿って着脱自在に装着され、該補助体部２の胴回り非対向面２ｂに係合固定される吸収本体部３を、位置ずれやずれ落ちしないように支持するための部材である。一方、吸収本体部３は、ペットの背部、股下部及び腹部に沿って配置されて、特に、ペットの股下部において、ペットから排出される尿などの排泄物を吸収して保持するための部材である。
【００２８】
また、吸収本体部３は、図２に示すように、展開した状態の平面視にて、長手方向ＤＬ及び幅方向ＤＷを有する縦長の形状を有するとともに、ペット用使い捨ておむつ１をペットに装着するときに当該ペットに対向する面となる第１面３ａと、該第１面３ａの反対側の面となる第２面３ｂとを有していて、さらに、吸収本体部３は、展開した状態の平面視にて、当該吸収本体部３の長手方向ＤＬの両端に位置する背部側端部３Ｅ１及び腹部側端部３Ｅ２の両方の端部においてそれぞれの第１面３ａに配置された係合部３８と、吸収本体部３の幅方向ＤＷに延びる中央軸線ＣＷを長手方向ＤＬに跨いで延在するとともに長手方向ＤＬに延びる中央軸線ＣＬを幅方向ＤＷに跨いで延在するように配置された、排泄物を吸収・保持する吸収体３３と、前記吸収体３３及び前記背部側端部３Ｅ１の間に形成された、ペットの尻尾を挿通させるための尻尾用開口部３９と、吸収本体部３に長手方向ＤＬの収縮力を付与するための弾性糸からなる弾性部材３６と、を備えている。そして、弾性部材３６は、吸収体３３に対して幅方向ＤＷにおける両外方側にそれぞれ配置され且つ少なくとも吸収体３３の長手方向長さよりも長い長手方向長さを有している。
【００２９】
このように構成された本実施形態のペット用使い捨ておむつ１は、吸収本体部３が、当該吸収本体部３の長手方向ＤＬの両端に位置する背部側端部３Ｅ１及び腹部側端部３Ｅ２の両方の端部においてそれぞれの第１面３ａに配置された係合部３８と、吸収体３３及び背部側端部３Ｅ１の間に形成された尻尾用開口部３９と、吸収体３３に対して幅方向ＤＷにおける両外方側にそれぞれ配置され且つ少なくとも吸収体３３の長手方向長さよりも長い長手方向長さを有し、吸収本体部３に長手方向ＤＬの収縮力を付与する弾性部材３６と、を備えているため、ペットの尻尾を尻尾用開口部３９に挿通させてペット用使い捨ておむつ１をペットの体に装着したときに、吸収本体部３の、背部側端部３Ｅ１と尻尾用開口部３９との間、及び腹部側端部３Ｅ２と尻尾用開口部３９との間のそれぞれに掛かる上述の弾性部材３６の収縮力によって、吸収本体部３の係合部３８が、ペットの体表面に沿いつつ上述のペットの尻尾によって位置が固定された尻尾用開口部３９に向かって引っ張られるため、吸収本体部３の係合部３８と補助体部２の胴回り非対向面２ｂとが係合した部分に、ペットの胴回り方向と交差する方向の力（剪断力）が作用して、上述の吸収本体部３の係合部３８と補助体部２の胴回り非対向面２ｂとの係合がより強固になり、吸収本体部３が補助体部２から外れにくくなっている。
【００３０】
また、本実施形態のペット用使い捨ておむつ１は、ペットの体に装着したときに、吸収本体部３の腹部側端部３Ｅ２及び尻尾用開口部３９の間に掛かる上述の弾性部材３６の収縮力によって、吸収本体部３における股下部対向部分が腹部側端部３Ｅ２及び尻尾用開口部３９のそれぞれに向かって相対的に引っ張られるため、当該股下部対向部分がペットの股下部に接触しやすくなっている（すなわち、ペットの体表面と吸収本体部３の表面との間に隙間が形成されにくくなっている。）。さらに、吸収本体部３において、吸収体３３の幅方向ＤＷの両外方側の領域は、ペットの足回りに対応する領域となるため、このような領域に上述の弾性部材３６が配置されていると、当該領域がペットの足回りの動きに追従して弾性変形しやすく、ペットが歩行等の動作をしたとしても、当該領域をより的確に且つ持続的にペットの股下部にフィットさせることができる。
以上より、本実施形態のペット用使い捨ておむつ１は、動物の体から外れにくく、動物の股下部に的確にフィットすることで、ペットの排泄物の漏出を防ぐことができる。
【００３１】
ここで、本発明の動物用吸収性物品が適用される「動物」は、ペット等として飼育され得る動物であれば特に限定されず、上述の実施形態のような犬のほか、例えば、猫や猿の様々な動物を対象とすることができる。
【００３２】
また、本発明おいて、動物用吸収性物品が吸収・保持する「排泄物」は、後述する吸収体に吸収・保持され得るものであれば特に制限されず、例えば、尿や糞、血液などの液状ないし低粘度の各種体液が挙げられる。
【００３３】
以下、本実施形態に係るペット用使い捨ておむつ１を構成する各種部材について、更に詳細に説明する。
【００３４】
＜補助体部＞
本実施形態において、補助体部２は、図５に示すように、ペットの背部及び腹部を含む胴回りに沿って着脱自在に装着され、該補助体部２の胴回り非対向面２ｂに係合固定される吸収本体部３を支持するための部材であって、図１及び図５に示すように、ペットへの装着時において、ペットの胴回りに対向する胴回り対向面２ａ及び該胴回り対向面２ａの反対側に位置する胴回り非対向面２ｂが、ペットの頭部（前部）及び尻尾部（後部）を通る方向（すなわち、前後方向）に延びるとともに、ペットの胴回り方向に延びる、筒状の構造を有している。
なお、本明細書では、「補助体部の厚さ方向ＤＴにおいて、装着対象となる動物の胴回りの体表面に対して相対的に近位側の面」を「胴回り対向面」といい、「補助体部の厚さ方向ＤＴにおいて、装着対象となる動物の胴回りの体表面に対して相対的に遠位側の面」を「胴回り非対向面」という。
【００３５】
本実施形態において、補助体部２は、図２に示すように、展開した状態の平面視にて、ペットの胴回り方向に対応する第１方向Ｄ１と、該第１方向Ｄ１と直交する第２方向Ｄ２とを有するとともに、ペットへの装着時にペットの胴回りに対向する面となる上述の胴回り対向面２ａと、該胴回り対向面２ａの反対側に位置する上述の胴回り非対向面２ｂとを有する、一枚のシート状部材２１によって構成されている。さらに、このシート状部材２１は、前記第１方向Ｄ１の両端部のうちの一方の端部２Ｅ１の胴回り対向面２ａに、補助体部２の胴回り非対向面２ｂの任意の部分と係合可能な補助体部用第１係合部２３（補助体部用係合部）を有している。この補助体部用第１係合部２３が、補助体部２の胴回り非対向面２ｂの任意の部分に係合できるため、本実施形態のペット用使い捨ておむつ１は、補助体部２をペットの胴回りのサイズに合わせて的確に装着することができ、当該補助体部２、ひいては吸収本体部３を含むペット用使い捨ておむつ１の、ペットの体に対する位置ずれやずれ落ち等を効果的に防ぐことができる。
なお、本発明の動物用吸収性物品において、補助体部の構造は、このような実施形態の構造に限定されず、例えば、補助体部は、動物の胴回りに対向する胴回り対向面及び該胴回り対向面の反対側に位置する胴回り非対向面が、動物の頭部（前部）及び尻尾部（後部）を通る方向（すなわち、前後方向）に延びるとともに、ペットの胴回り方向に継ぎ目なく連続的に延びる、筒状の構造を有していてもよい。補助体部がこのような構造を有している場合は、当該補助体部を動物の胴回りに密着させるために、動物の胴回り方向に伸縮性を有しているか、或いは、補助体部の胴回り方向の周長を縮小させる構造（例えば、アジャスター等）を有していることが好ましい。
【００３６】
また、本実施形態においては、補助体部２は、前記第１方向Ｄ１の両端部のうちの他方の端部２Ｅ２の胴回り非対向面２ｂに、補助体部２の胴回り対向面２ａの任意の部分と係合可能な補助体部用第２係合部２４を有している。この補助体部用第２係合部２４は、補助体部２の胴回り対向面２ａの任意の部分に係合できるため、本実施形態のペット用使い捨ておむつ１は、補助体部２をペットの胴回りのサイズに合わせてより的確に装着することができ、当該補助体部２、ひいては吸収本体部３を含むペット用使い捨ておむつ１の、ペットの体に対する位置ずれやずれ落ち等をより効果的に防ぐことができる。また、補助体部２が上述の補助体部用第２係合部２４を備えていると、補助体部２をペットに装着したときに、補助体部の内側（すなわち、ペット側）において、シート状部材２１の第１方向Ｄ１における他端側の端部２Ｅ２が上述の補助体部用第２係合部２４によって補助体部２の胴回り対向面２ａに係合固定されるため、当該他端側の端部２Ｅ２に折れ曲がりや捲れ等が生じにくく、補助体部２を装着したペットに異物感や不快感を与えにくくなる。
【００３７】
本実施形態において、補助体部２を構成するシート状部材２１は、２枚の不織布が積層された積層不織布によって構成されていて、当該２枚の不織布の間には、図２に示すように、前記第１方向Ｄ１に延在し且つ前記第２方向Ｄ２に並ぶ複数本の弾性糸からなる補助体部用弾性部材２２が配置されている。なお、この補助体部用弾性部材２２は、上記２枚の不織布にホットメルト型接着剤によって固定されている。この補助体部用弾性部材２２の伸縮作用によって、補助体部２は、ペットに装着したときにペットの胴周り方向となる前記第１方向Ｄ１に伸縮性を有している。このように補助体部２がペットの胴回り方向に伸縮性を有していると、特に、ペットが動いたときに、吸収本体部３の係合部と補助体部２の胴回り非対向面２ｂとが係合した部分に、ペットの胴回り方向と交差する方向の力（剪断力）がより強く作用して、上述の吸収本体部３の係合部と補助体部２の胴回り非対向面２ｂとの係合が更に強固となる。これにより、吸収本体部３が補助体部２から更に外れにくくなる。
また、補助体部２がペットの胴回り方向に伸縮性を有していると、補助体部２をペットの胴回りに対してより的確にフィットさせることができるため、当該補助体部２、ひいてはペット用使い捨ておむつ１の、ペットの体に対する位置ずれやずれ落ち等を防ぐことができる。
【００３８】
本実施形態において、補助体部２を構成する上述のシート状部材２１は、２枚の不織布と、これらの間に配置される補助体部用弾性部材２２とによって構成されているが、本発明においては、このような態様に限定されず、例えば、シート状部材は、少なくとも２枚の織布や編布等のシートと、これらの間に配置される補助体部用弾性部材によって構成されたシート状部材や、少なくとも１枚の非伸縮性シート又は伸縮性シート（例えば、伸縮性不織布等）のみによって構成されたシート状部材、複数枚の織布や編布を積層した非伸縮性のシート状部材などであってもよい。また、補助体部が、上述のようなペットの胴回り方向に継ぎ目なく連続的に延びる筒状の構造を有するものである場合も、同様に、補助体部は、例えば、少なくとも２枚の不織布や織布、編布等のシートと、これらの間に配置される補助体部用弾性部材によって構成された筒状のシート状部材や、少なくとも１枚の伸縮性シート（例えば、伸縮性不織布等）のみによって構成された筒状のシート状部材であってもよい。
【００３９】
本発明において、補助体部を構成するシート状部材に、前記第１方向（動物の胴周り方向）における伸縮性を付与する手段は、特に限定されず、上述の弾性糸のほか、例えば、帯状の伸縮性シート、シート状部材に形成されたスリットなどの任意の伸縮性付与手段を採用することができる。なお、伸縮性付与手段として弾性部材を用いる場合、当該弾性部材としては、伸び縮みし得る材料であれば特に限定されず、例えば、天然ゴムからなる糸ゴムや平ゴム；ウレタン、エチレン−酢酸ビニル共重合体（ＥＶＡ）等の熱可塑性エラストマーを糸状又は帯状に成形したものなどが挙げられる。
【００４０】
また、本実施形態において、補助体部２を構成するシート状部材２１に設けられた上述の補助体部用第１係合部２３（補助体部用係合部）の具体的な係合手段は、特に限定されず、例えば、フック部材及びループ部材からなるメカニカルファスナー等の任意の係合手段を採用することができるが、当該補助体部用係合部は、後述する吸収本体部３の係合部３８と同様の係合手段、すなわち、シート状部材の胴周り対向面から延びる軸部と、該軸部の先端において当該軸部の外周面が拡径する方向に延びる拡径部と、を有する複数の係合突起部から構成された係合手段を用いることが好ましい。上述の補助体部用係合部が、このような特定の構造を有する複数の係合突起部から構成されていると、当該複数の係合突起部は、不織布等の任意の繊維構造体と係合することができるため、上述の補助体部用係合部が係合する補助体部の胴回り非対向面において、前記複数の係合突起部と係合可能なループ構造体を別途設ける必要がなく、シート状部材の第１方向Ｄ１における一端側の端部２Ｅ１を係合固定する位置を任意に調節することができる。
なお、本発明において、補助体部を構成するシート状部材の第１方向Ｄ１における一端側の端部を、シート状部材の胴周り非対向面に接合する手段は、上述の実施形態における補助体部用係合部に限定されず、当該接合する手段は、例えば、粘着剤を配置することによって形成された粘着部であってもよいが、補助体部を装着した動物が動いたときなどに、補助体部の筒状構造の内径が変化したとしても、上述の接合が外れにくい（すなわち、補助体部が動物の体から外れにくい）という点から、上述の接合する手段は、本実施形態のような係合手段を用いることが好ましい。
【００４１】
＜吸収本体部＞
本実施形態において、吸収本体部３は、図５に示すように、ペットの背部、股下部及び腹部に沿って配置されて、特に、ペットの股下部において、ペットから排出される尿などの排泄物を吸収して保持するための部材である。吸収本体部３は、図１及び図５に示すように、ペットの背部側に位置する背部側端部３Ｅ１及びペットの腹部側に位置する腹部側端部３Ｅ２の両方の端部が、上述の補助体部２の胴回り非対向面２ｂに対して着脱自在に係合固定されて使用される。
本実施形態において吸収本体部３は、図２に示すように、展開した状態の平面視にて、外形形状が長手方向ＤＬ及び幅方向ＤＷを有する縦長の略矩形の形状を有するとともに、ペット用使い捨ておむつ１をペットの体に装着するときに当該ペットに対向する面となる第１面３ａと、該第１面３ａの反対側の面となる第２面３ｂとを有している。さらに、吸収本体部３は、展開した状態の平面視にて、当該吸収本体部３の長手方向ＤＬの両端に位置する上述の背部側端部３Ｅ１及び腹部側端部３Ｅ２の両方の端部における第１面３ａにそれぞれ配置された係合部３８と、吸収本体部３の幅方向ＤＷに延びる中央軸線ＣＷを長手方向ＤＬに跨いで延在するとともに長手方向ＤＬに延びる中央軸線ＣＬを幅方向ＤＷに跨いで延在するように配置された吸収体３３と、吸収本体部３に長手方向ＤＬの収縮力を付与する弾性部材３６と、を有している。さらに、この弾性部材３６は、図２に示すように、上述の吸収体３３に対して前記幅方向ＤＷの両外方側に配置され且つ少なくとも吸収体３３の長手方向長さよりも長い長手方向長さを有している。
また、吸収本体部３の長手方向ＤＬに延びる中央軸線ＣＬ上には、前記吸収体３３と前記背部側端部３Ｅ１との間の位置であって、長手方向ＤＬの前記背部側端部３Ｅ１寄り（図２の下方側寄り）の位置に、ペットの尻尾が挿通される尻尾用開口部３９が形成されている。
なお、本発明において、吸収本体部の平面視における外形形状は、このような縦長の略矩形の形状に限定されず、長手方向ＤＬの長さ寸法が幅方向ＤＷの幅寸法よりも長い長形状のものであれば、各種用途や対象動物の体型等に応じて任意の縦長の形状（例えば、長方形、楕円形、瓢箪形など）を採用することができる。
【００４２】
本実施形態において、吸収本体部３は、吸収体３３に対して幅方向ＤＷの両外方側に配置され且つ少なくとも吸収体３３の長手方向長さよりも長い長手方向長さを有する弾性部材３６を備えているため、ペットの尻尾を尻尾用開口部３９に挿通させてペット用使い捨ておむつ１をペットの体に装着したときに、吸収本体部３の、背部側端部３Ｅ１と尻尾用開口部３９との間、及び腹部側端部３Ｅ２と尻尾用開口部３９との間のそれぞれに掛かる上述の弾性部材３６の収縮力によって、吸収本体部３の係合部３８がペットの体表面に沿いつつ上述のペットの尻尾によって位置が固定された尻尾用開口部３９に向かって引っ張られるため、吸収本体部３の係合部３８と上述の補助体部２の胴回り非対向面２ｂとが係合した部分に、ペットの胴回り方向と交差する方向の力（剪断力）が作用して、上述の吸収本体部３の係合部３８と補助体部２の胴回り非対向面２ｂとの係合がより強固になり、吸収本体部３が補助体部２から外れにくくなっている。さらに、前記吸収本体部３の腹部側端部３Ｅ２及び尻尾用開口部３９の間に掛かる上述の弾性部材３６の収縮力によって、吸収本体部３における股下部対向部分が腹部側端部３Ｅ２及び尻尾用開口部３９のそれぞれに向かって相対的に引っ張られるため、当該股下部対向部分がペットの股下部に接触しやすくなっている（すなわち、ペットの体表面と吸収本体部３の表面との間に隙間が形成されにくくなっている。）。
また、吸収本体部３は、ペットの足回りに対応する領域となる吸収体３３の幅方向ＤＷの両外方側の領域に、上述の弾性部材３６が配置されているため、当該弾性部材３６の配置された領域がペットの足回りの動きに追従して弾性変形しやすく、ペットが歩行等の動作をしたとしても、当該領域をより的確に且つ持続的にペットの股下部にフィットさせることができる。
【００４３】
本実施形態において、吸収本体部３は、その厚さ方向ＤＴにおいて、上述の第１面３ａ側に位置する液透過性の表面シート３１と、上述の第２面３ｂ側に位置する液不透過性の裏面シート３２と、これら両シートの間に配置された吸収体３３と、前記表面シート３１の第１面３ａ側に位置する一対のサイドシート３５と、前記裏面シート３２及び前記吸収体３３の間に配置された任意のバックフィルム３４とを有する積層体によって構成されている。
【００４４】
以下、本実施形態のペット用使い捨ておむつ１において、吸収本体部３を構成する各種部材について、更に詳細に説明する。
【００４５】
（表面シート）
本実施形態において、表面シート３１は、図２及び図３に示すように、装着対象のペットの身体に直に接触し得る吸収本体部３の第１面３ａ側の位置に配置されていて、液透過性を有する不織布によって構成されている。本発明において、表面シートを構成する不織布は、液透過性を有するものであれば、特に限定されず、例えば、スパンレース不織布、エアスルー不織布、スパンボンド不織布、ポイントボンド不織布、メルトブローン不織布、及びこれらの組み合わせ（例えば、ＳＭＳ不織布等）などの任意の不織布を用いることができる。また、表面シートを構成する不織布の構造も特に制限されず、当該不織布は、平坦な無孔の不織布のほか、例えば、有孔の不織布、凹凸構造（断面が波形となる凹凸構造や畝溝構造等）を有する不織布なども好適に用いることができる。
【００４６】
また、表面シートを構成する不織布に用いられる繊維の種類も特に制限されず、例えば、セルロース系繊維；オレフィン系樹脂やポリエステル系樹脂等の熱可塑性樹脂繊維などが挙げられ、これらの繊維は単独で使用しても、二種類以上の繊維を併用してもよい。なお、表面シートを構成する不織布の坪量は、液透過性を阻害しない限り特に制限されず、例えば、６ｇ／ｍ２〜５０／ｍ２の範囲内である。
【００４７】
（裏面シート）
本実施形態において、裏面シート３２は、図２及び図３に示すように、吸収本体部３の表面シート３１とは反対側の第２面３ｂ側の位置に配置されていて、装着対象のペットから排出された尿などの排泄物の透過を防ぐように機能する、液不透過性シートによって構成されている。本発明において、裏面シートを構成する液不透過性シートは、動物から排出された尿などの排泄物の透過を防ぐことができるものであれば特に限定されず、例えば、疎水性の不織布、ＳＭＳ積層不織布、液不透過性のプラスチック製フィルム、及びこれらのシートを任意の組み合わせた積層シートなどを用いることができる。
【００４８】
（吸収体）
本実施形態において、吸収体３３は、図２及び図３に示すように、上述の表面シート３１と裏面シート３２との間に配置され、前記表面シート３１を透過してきた尿などの排泄物を吸収して保持する吸水性部材によって構成されている。また、本実施形態において、吸収体３３は、図２に示すように、展開した状態の平面視にて、吸収本体部３の幅方向ＤＷに延びる中央軸線ＣＷを前記長手方向ＤＬに跨いで延在するとともに前記長手方向ＤＬに延びる中央軸線ＣＬを前記幅方向ＤＷに跨いで延在するように配置された、外形形状が長手方向ＤＬに長い形状を有し、さらに、前記長手方向ＤＬの略中央部分が幅方向ＤＷの内方側に向かって細く括れた略砂時計形の形状を有している。なお、本発明において、吸収体の平面視における外形形状は、このような略砂時計形の形状に限定されず、長手方向ＤＬの長さ寸法が幅方向ＤＷの幅寸法よりも長い長形状のものであれば、各種用途や対象動物の体型等に応じて任意の縦長の形状（例えば、長方形、楕円形など）を採用することができる。
【００４９】
本発明において、吸収体を構成する吸水性部材は、動物から排出された尿などの排泄物を吸収して保持することのできるものであれば特に限定されず、当分野において公知の任意の吸水性部材を用いることができる。そのような吸水性部材の例としては、吸収性材料によって構成される吸収コアを、親水性を有するティッシュ等のコアラップシートで覆ったものなどが挙げられる。また、吸収コアを構成する吸収性材料としては、例えば、親水性繊維や高吸収性ポリマーなどが挙げられ、更に具体的には、フラッフパルプ、コットン等のセルロース繊維；レーヨン、フィブリルレーヨン等の再生セルロース繊維；アセテート、トリアセテート等の半合成セルロース繊維；アクリル酸ナトリウムコポリマー等の高吸収性ポリマーからなる粒状物、及びこれら２種以上の任意の組み合わせなどが挙げられる。
【００５０】
（弾性部材）
本実施形態において、吸収本体部３に長手方向ＤＬの収縮力を付与する弾性部材３６は、図２に示すように、上述の吸収体３３に対して幅方向ＤＷの両外方側にそれぞれ２本ずつ配置され且つ少なくとも吸収体３３の長手方向長さよりも長い長手方向長さを有する４本の弾性糸によって構成されている。なお、本発明において、吸収体の幅方向の両外方側にそれぞれ配置される弾性部材の数は、本発明の効果が奏し得る限り上述の実施形態に限定されず、例えば、弾性部材は、吸収体の幅方向の両外方側において、それぞれ１本ずつ配置されていてもよいし、それぞれ３本以上ずつ配置されていてもよい。
【００５１】
本発明において、吸収本体部に長手方向の収縮力を付与する弾性部材は、展開した状態の吸収本体部に長手方向の収縮力を付与し得る材料であれば特に限定されず、例えば、天然ゴムからなる糸ゴムや平ゴム；ウレタン、エチレン−酢酸ビニル共重合体（ＥＶＡ）等の熱可塑性エラストマーを糸状又は帯状に成形したものなどの任意の弾性部材を用いることができる。
【００５２】
（サイドシート）
本実施形態において、一対のサイドシート３５は、図２及び図３に示すように、平面視にて、長手方向ＤＬに長い帯状のシート部材によって構成され、上述の表面シート３１の第１面３ａ側の表面上において幅方向ＤＷの両端部に配置されている。この一対のサイドシート３５は、幅方向ＤＷの外方側に位置する長手方向ＤＬに延びる端部と、長手方向ＤＬにおける両端部が、それぞれ表面シート３１の第１面３ａ側の表面と接合されている。したがって、この一対のサイドシート３５は、図３に示すように、幅方向ＤＷの外方側に位置する長手方向ＤＬに延びる端部が固定端となっている一方、幅方向ＤＷの内方側に位置する端部は自由端となっている。
そして、一対のサイドシート３５は、図２及び図３に示すように、それぞれの幅方向ＤＷの内方側に位置する端部が表面シート３１側に向かって折り畳まれていて、さらに、その折り畳まれた端部に挟まれるようにして、長手方向ＤＬに延びるギャザー用弾性部材３７が配置されている。このギャザー用弾性部材３７が収縮することによって、前記一対のサイドシート３５は、表面シート３１側から立ち上がり、図１及び図３に示すような立体ギャザーＧを形成することができる。
本実施形態に係るペット用使い捨ておむつ１は、このような立体ギャザーＧが防漏壁として機能するため、ペットから排出された尿などの排泄物が、吸収本体部３から更に漏出しにくくなっている。
【００５３】
本発明において、上述のサイドシートは、立体ギャザーを形成するときに防漏壁として機能し得るものであれば、特に制限されず、例えば、撥水性や疎水性を有する不織布などによって構成することができる。さらに、本発明において、サイドシートを構成し得る不織布としては、特に限定されず、例えば、スパンレース不織布、スパンボンド不織布、サーマルボンド不織布、メルトブローン不織布、エアスルー不織布等の各種不織布が挙げられる。また、不織布を構成する繊維も特に限定されず、例えば、ポリオレフィン系繊維、ポリエステル系繊維、ポリアミド系繊維等の合成繊維のほか、レーヨンや綿等のセルロース系繊維などを用いることができる。
なお、ギャザー用弾性部材については、上述の弾性部材と同様の材料を用いることができる。
【００５４】
（係合部）
本実施形態において、吸収本体部３の係合部３８は、図２に示すように、展開した状態の平面視にて、吸収本体部３の長手方向ＤＬの両端に位置する背部側端部３Ｅ１及び腹部側端部３Ｅ２の両方の端部における第１面３ａに配置されていて、吸収本体部３の幅方向ＤＷに延びる横長の略矩形状の外形形状を有している。この吸収本体部３の長手方向ＤＬの両端に位置する、背部側端部３Ｅ１及び腹部側端部３Ｅ２のそれぞれに配置された係合部３８は、補助体部２が既に装着されたペットに対して吸収本体部３を装着する際に、前記補助体部２の胴回り非対向面２ｂに対してそれぞれ係合固定される。このようにして、上述の補助体部２及び吸収本体部３（すなわち、ペット用使い捨ておむつ１）がペットの体に装着されると、吸収本体部３の、背部側端部３Ｅ１と尻尾用開口部３９との間、及び腹部側端部３Ｅ２と尻尾用開口部３９との間のそれぞれに掛かる上述の弾性部材３６の収縮力によって、上述の各係合部３８（すなわち、背部側端部３Ｅ１に配置された係合部３８と、腹部側端部３Ｅ２に配置された係合部３８）が、ペットの体表面に沿いつつ上述のペットの尻尾によって位置が固定された尻尾用開口部３９に向かって引っ張られるため、吸収本体部３の各係合部３８と補助体部２の胴回り非対向面２ｂとが係合した部分に、ペットの胴回り方向と交差する方向の力（剪断力）が作用して、上述の吸収本体部３の係合部３８と補助体部２の胴回り非対向面２ｂとの係合がより強固になり、吸収本体部３が補助体部２から外れにくくなる。
【００５５】
本発明において、吸収本体部における係合部の具体的な係合手段は、特に限定されず、例えば、フック部材及びループ部材からなるメカニカルファスナー等の任意の係合手段を採用することができるが、以下に詳説する本実施形態における係合部３８と同様の係合手段を用いることが好ましい。ここで、図４（ａ）は、本実施形態に係るペット用使い捨ておむつ１の係合部３８における図２の領域ＩＶの要部拡大平面図であり、図４（ｂ）は、図４（ａ）のＩＶｂ−ＩＶｂ線に沿った断面図である。
【００５６】
図４（ａ）及び図４（ｂ）に示すように、本実施形態において、吸収本体部３の係合部３８は、吸収本体部３の第１面３ａに配置される基部３８０と、該基部３８０から突出する複数の係合突起部３８１を有していて、当該複数の係合突起部３８１のそれぞれは、吸収本体部３の第１面３ａ（具体的には、基部３８０）から延びる軸部３８３と、該軸部３８３の先端において前記軸部３８３の外周面が拡径する方向に延びる拡径部３８２と、を有している。このような構造を有する係合部３８は、当該係合部３８を補助体部２の胴回り非対向面２ｂに係合固定したときに、当該係合部３８がペットの動き等によって様々な方向に引っ張られたとしても、当該係合部３８が、補助体部２の胴回り非対向面２ｂ上のあらゆる方向の力に対して対応でき、前記補助体部２の胴回り非対向面２ｂと係合可能であるため、上述の吸収本体部３の係合部３８と補助体部２の胴回り非対向面２ｂとの係合を強固な状態で維持することができる。これにより、本実施形態に係るペット用使い捨ておむつ１は、吸収本体部３が補助体部２から更に外れにくくなっている。
また、吸収本体部３の係合部３８が、このような特定構造を有する係合突起部３８１によって構成されていると、当該係合突起部３８１は不織布等の任意の繊維構造体と係合することができるため、前記係合部３８が係合する補助体部２の胴回り非対向面２ｂにおいて、上述の係合突起部３８１と係合可能なループ構造体を設ける必要がなく、吸収本体部を補助体部２に係合固定する位置を任意に調節可能に構成することができる。これにより、本実施形態に係るペット用使い捨ておむつ１を、吸収本体部３の股下部対向部分がより的確にペットの股下部にフィットするように装着することができる。
したがって、本実施形態に係るペット用使い捨ておむつ１は、ペットの排泄物の漏出を、より安定的且つ確実に防ぐことができる。
【００５７】
なお、本発明において、吸収本体部３の係合部３８の構造は、上述の実施形態の構造に限定されず、例えば、上述の係合部は、拡径部の構造が球状、円錐状等の任意の立体構造を有していてもよい。
また、本発明において、吸収本体部の係合部が配置される位置は、上述の実施形態の位置に限定されず、例えば、上述の係合部は、展開した状態の平面視にて、吸収本体部の長手方向の両端に位置する前記背部側端部及び前記腹部側端部のうちの一方の端部の前記第１面に配置されていてもよいし、当該端部の幅方向に部分的に配置されていてもよい。なお、上述の係合部が、展開した状態の平面視にて、吸収本体部の長手方向の両端に位置する前記背部側端部及び前記腹部側端部のうちの一方の端部の前記第１面に配置されている場合、他方の端部は、係合以外の任意の接合手段で、補助体部の胴周り非対向面に接合固定される。
【００５８】
また、本発明においては、吸収本体部の係合部が、少なくとも部分的に非伸縮性部分を有していることが好ましい。吸収本体部の係合部がこのような非伸縮性部分を有していると、当該非伸縮性部分は、力が掛かっても構造が変化しにくいため、当該非伸縮性部分において前記補助体部の胴回り非対向面との係合をより安定的に維持することができ、吸収本体部が補助体部から更に外れにくくなる。なお、吸収本体部の係合部に非伸縮性部分を設ける手段としては、上述の実施形態のように（図２を参照）係合部に弾性部材を配置しないことや、吸収本体部の第２面において係合部と厚さ方向に対応する位置に、後述する非伸縮性シート等を配置することなどが挙げられる。
【００５９】
また、上述のように、吸収本体部が、厚さ方向ＤＴにおいて、液透過性の表面シートと、液不透過性の裏面シートと、これら両シートの間に配置された吸収体と、前記表面シートの第１面側に位置する一対のサイドシートと、を少なくとも含む積層体によって構成されていて、さらに、当該積層体が、吸収本体部を展開した状態の平面視にて、幅方向において積層数の異なる境界部分を有している場合、吸収本体部の係合部は、少なくとも前記境界部分を跨いで幅方向に延在するように配置されていることが好ましい。なお、上述の実施形態においては、図２に示すように、吸収本体部３を展開した状態の平面視にて、長手方向ＤＬの両端部３Ｅ１、３Ｅ２において、サイドシート３５が配置されている幅方向ＤＷの両端部（すなわち、サイドシート３５と表面シート３１と裏面シート３２とからなる積層数が３の部分）と、サイドシート３５が配置されていない中央部分（すなわち、表面シート３１と裏面シート３２とからなる積層数が２の部分）との境界部分（すなわち、長手方向ＤＬに延びる、サイドシート３５の幅方向ＤＷの内方側端縁部分）を幅方向ＤＷに跨ぐように、係合部３８が配置されている。
このような積層体の積層数の異なる境界部分は、剛性の変化点となる部分であるため、当該境界部分を起点として吸収本体部の変形や破れが生じやすくなるが、このような境界部分を跨ぐように上述の係合部が配置されていると、当該係合部を補助体部の胴回り非対向面に係合固定したときに、上述の変形や破れの生じやすい部分も補助体部に係合固定されるため、前記境界部分を起点とした吸収本体部の変形や破れが生じにくくなる。したがって、このような構成を備えた動物用吸収性物品は、動物の排泄物の漏出を更に安定的且つ確実に防ぐことができる。
さらに、上述の積層体の積層数の異なる境界部分は、動物の歩行等の動作や引っ掻き行動などによって、吸収本体部を構成する各種部材の捲れが生じやすい部分でもあるため、このような境界部分を跨ぐように上述の係合部が配置されていると、吸収本体部を構成する各種部材の捲れを生じにくくすることができる。
【００６０】
また、本発明において、吸収本体部の係合部は、前記吸収本体部の長手方向の両端に位置する背部側端部及び腹部側端部のうちの少なくとも一方の端部の第１面において、前記吸収本体部の長手方向における端縁を含む領域に配置されていることが好ましい。なお、上述の実施形態においては、図２に示すように、吸収本体部３の係合部３８は、前記吸収本体部３の長手方向ＤＬの両端に位置する背部側端部３Ｅ１及び腹部側端部３Ｅ２の両方の端部の第１面３ａにおいて、前記吸収本体部３の長手方向ＤＬにおけるそれぞれの端縁３ｅ１、３ｅ２を含む領域に配置されている。
吸収本体部の係合部が、このような吸収本体部の長手方向における端縁を含む領域に配置されていると、吸収本体部の係合部を補助体部の胴回り非対向面に係合固定するときに、吸収本体部の長手方向における端縁まで係合固定することができるため、吸収本体部の長手方向の端縁が捲れたり、当該端縁が動物の爪や外部の構造物に引っ掛かったりして、吸収本体部の係合部と補助体部の胴回り非対向面との係合が外れるというようなことが起こりにくくなる。したがって、このような構成を備えた動物用吸収性物品は、吸収本体部をより着実に動物に装着することができ、結果的に、動物の排泄物の漏出を更に安定的且つ確実に防ぐことができる。
【００６１】
（非伸縮性シート）
また、上述の実施形態においては、図１及び図４（ｂ）に示すように、吸収本体部３の第２面３ｂにおいて係合部３８と厚さ方向ＤＴに対応する位置に、非伸縮性シート３８４が配置されている。このような位置に非伸縮性シート３８４が配置されていると、係合部３８に上述の非伸縮性部分を形成することができるとともに、力学的負荷の掛かりやすい係合部３８を裏面側から補強することができ、当該係合部において変形や破れ等が生じにくくなる。したがって、吸収本体部３をより安定的にペットに装着することができ、結果的にペットの排泄物の漏出をより安定的に且つ持続的に防ぐことができる。
【００６２】
（バックフィルム）
さらに、上述の実施形態においては、図２及び図３に示すように、裏面シート３２及び吸収体３３の間にバックフィルム３４が配置されている。このバックフィルム３４は、表面シート３１や吸収体３３を透過した尿などの排泄物が、裏面シート３２側から漏出するのを防ぐように機能する、液不透過性のフィルムによって構成されている。なお、バックフィルム３４は、上述の裏面シート３２と同様の液不透過性シートによって構成することができ、例えば、疎水性の不織布、ＳＭＳ積層不織布、液不透過性のプラスチック製フィルム、及びこれらのシートを任意の組み合わせた積層シートなどを用いることができる。
【００６３】
上述したように、本発明の動物用吸収性物品は、吸収本体部が上記特定の係合部と尻尾用開口部と弾性部材とを備えているため、動物用吸収性物品を動物の体に装着したときに、前記吸収本体部の、背部側端部と尻尾用開口部との間、及び腹部側端部と尻尾用開口部との間のそれぞれに掛かる上述の弾性部材の収縮力によって、吸収本体部の係合部が、前記動物の体表面に沿いつつ上述の動物の尻尾によって位置が固定された尻尾用開口部に向かって引っ張られて、前記吸収本体部の係合部と補助体部の胴回り非対向面とが係合した部分に、動物の胴回り方向と交差する方向の力（剪断力）が作用して、上述の吸収本体部の係合部と補助体部の胴回り非対向面との係合がより強固になり、吸収本体部が補助体部から外れにくくなっている。
また、本発明の動物用吸収性物品は、動物の体に装着したときに、前記吸収本体部の腹部側端部及び尻尾用開口部の間に掛かる上述の弾性部材の収縮力によって、前記吸収本体部の股下部対向部分が前記腹部側端部及び前記尻尾用開口部のそれぞれに向かって相対的に引っ張られるため、当該股下部対向部分が動物の股下部に接触しやすくなっている（すなわち、動物の体表面と吸収本体部の表面との間に隙間が形成されにくくなっている。）。さらに、吸収本体部において、動物の足回りに対応する領域となる吸収体の幅方向の両外方側の領域に、上述の弾性部材が配置されているため、当該領域が動物の足回りの動きに追従して弾性変形しやすく、動物が歩行等の動作をしたとしても、当該領域をより的確に且つ持続的に動物の股下部にフィットさせることができるようになっている。
以上より、本発明の動物用吸収性物品は、動物の体から外れにくく、動物の股下部に的確にフィットすることで、排泄物の漏出を防止することができる。
【００６４】
本発明は、上述した実施形態のペット用使い捨ておむつのほかに、例えば、動物用（軽）失禁パッド等の様々な動物用吸収性物品に適用することができる。また、本発明の動物用吸収性物品は、上述した実施形態に制限されることなく、本発明の目的、趣旨を逸脱しない範囲内において、適宜組み合わせや変更等が可能である。なお、本明細書において、「第１」、「第２」等の序数は、当該序数が付された事項を区別するためのものであり、各事項の順序や優先度、重要度等を意味するものではない。
【符号の説明】
【００６５】
１    ペット用使い捨ておむつ（吸収性物品）
２    補助体部
２１    シート状部材
２２    補助体部用弾性部材
２３    補助体部用第１係合部
２４    補助体部用第２係合部
３    吸収本体部
３１    表面シート
３２    裏面シート
３３    吸収体
３４    バックフィルム
３５    サイドシート
３６    弾性部材
３７    ギャザー用弾性部材
３８    係合部
３９    尻尾用開口部
【図１】
0006436899.tif 000002
【図２】
0006436899.tif 000003
【図３】
0006436899.tif 000004
【図４】
0006436899.tif 000005
【図５】
0006436899.tif 000006